(57)【要約】無線装置に関する動作情報を、無線装置とリアルタイム通信に参加する装置に提供するための方法及び通信ネットワークに関する。通信ネットワーク（１１０）は、インスタントメッセージサービス及びグループチャットサービスなどのリアルタイム通信サービスを、第１装置及び第２装置に提供する。通信ネットワーク（１１０）は、第１装置（１６０）に関する動作情報を受信し、動作情報を第２装置（２４０）に送信する。第２装置（２４０）は、第１装置（１６０）に関する動作情報に基づくアイコン、画像、テキストメッセージ、音声メッセージ等の指標を生成し得る。
2005508126.tif 000002
【特許請求の範囲】
【請求項１】
複数の加入者にリアルタイムの通信サービスを提供する通信システム内において、第１加入者は、第２加入者と通信し、前記第２加入者に、無線装置に関連した動作情報を提供する方法であって、
リアルタイム通信サービスを無線装置である前記第１装置と第２装置とに提供する工程と、
前記第１装置に関連した動作情報を受信する工程と、
前記動作情報を前記第２装置に送信する工程とを備える方法。
【請求項２】
前記第１装置及び第２装置にリアルタイム通信サービスを提供する工程は、インスタントメッセージサービス、及びグループチャットサービスのうちの１つを提供する工程を備える請求項１に記載の方法。
【請求項３】
前記第１装置に関連した動作情報を受信する工程は、トリガーイベントに応答して、前記第１装置に関連した動作情報を受信する工程を備え、前記トリガーイベントは、登録、加入者の入力、及び状態の変化のうちの１つを含む請求項１に記載の方法。
【請求項４】
前記第１装置に関連した動作情報を受信する工程は、前記第１装置に関連した状態情報及びリソース情報のうちの１つを受信する工程を備える請求項１に記載の方法。
【請求項５】
前記第１装置に関連した動作情報を受信する工程は、前記第１装置の帯域幅、表示能力、入力能力、リンクタイプ、リンクコスト、装置の種類、待ち時間、電力、位置及び作動モードのうちの１つに関連した情報を受信する工程を備える請求項１に記載の方法。
【請求項６】
前記第１装置に関連した動作情報を受信する工程は、携帯電話、ページャ、及び電子プランナのうちの１つに関連した動作情報を受信する工程を備える請求項１に記載の方法。
【請求項７】
前記動作情報を前記第２装置に送信する工程は、前記動作情報に基づいてアイコン、画像、テキストメッセージ、音声メッセージのうちの１つを生成すべく作動可能な装置に前記動作情報を送信する工程を備える請求項１に記載の方法。
【請求項８】
前記動作情報を前記第２装置に送信する工程は、前記動作情報を、無線電子装置及び有線電子装置のうちの１つに送信する工程を備える請求項１に記載の方法。
【発明の詳細な説明】
【技術分野】
【０００１】
本発明は一般に無線通信システムに関し、より詳細には、無線装置に関連した動作情報を無線装置とのリアルタイム通信に参加する装置に提供するための方法及び装置に関する。
【背景技術】
【０００２】
無線通信システムはシステムと機械要素の複雑なネットワークである。典型的な要素は、（１）少なくとも１つの、典型的には複数の基地局から提供される、移動局（携帯電話など）への無線リンク、（２）基地局間の通信リンク、（３）基地局間の通信の制御と、基地局の動作及び相互作用とを管理するための、典型的には、１つ以上の基地局制御局、又は中央基地局制御局（ＢＳＣ／ＣＢＳＣ）である制御局、（４）システム内にある呼のルーティングのための、典型的にはコールエージェント（ソフトスイッチなど）、呼制御局（携帯切替センタ（ＭＳＣ））又は切替器、（５）コールエージェントによって、通常提供される地上線又は公衆交換電話網（ＰＳＴＮ）とのリンクを有する。
【０００３】
多くの人々に対して、インターネットは別方法の通信を提供してきた。詳細には、電子メールメッセージ（電子メール（Ｅ−ｍａｉｌ）など）は、通信の手段として、従来の手紙、時には音声呼に取って代わってきている。しかしながら、電子メールは特定の環境において、十分に早い応答を提供し得ない。更に、複数回の電子メール交換は、往復する電子メールを、読み、応答し、送信する多くのステップを必要とすることがある。従って、インスタントメッセージ（ＩＭ）サービス及びグループチャットサービスなどのリアルタイム通信サービスは、電子メールの代替品となる通信メカニズムになってきた。例えば、インスタントメッセージサービスは、加入者が、友人や同僚などの他の加入者がオンラインにあるか否かを判定し、オンラインの場合、インターネットを通じて“リアルタイム”で相互に通信することを可能にする。ほとんどの環境において、リアルタイム通信は、“インスタント（即時的）”である。インターネットのピークトラフィック期中であっても、リアルタイム通信の遅延は、典型的には数秒以下である。従って、加入者は、相互にメッセージを交換することによって（送信するメッセージを往復し）、リアルタイムのオンライン“会話”を有し得る。例えば、親は、リアルタイム通信サービスを介して、他の都市、州、国で大学に通う、又は働いている彼らの子供と“会話”することが可能であり得る。その結果、リアルタイム通信サービスは、コストと利便性のため音声呼に取って代わり得る。
【０００４】
無線通信システム設計のある様態は、リアルタイム通信サービスを、移動局、即ち、携帯電話、ページャ、電子プランナ(electronic planner)などに提供するためである。しかしながら、無線装置は、デスクトップコンピュータ等の有線装置にはないようなリソースの制限を有する。従って、このような制限は、有線装置のユーザに知られていない。より詳細には、無線装置は、帯域幅、表示能力、入力能力、リンクコスト、リンクタイプ、待ち時間、電力貯蔵量を含む制限を有し得る。例えば、無線装置と有線装置の間の通信は、無線通信システム固有の性質のため（待機遅延、送信時間、ネットワークの混雑状態）、２つの有線装置間よりも、長い遅延を経験し得る。別の例において、無線装置にリアルタイムで通信するためのリンクを提供するネットワークは、添付ファイル交換のサポートが不可能となり得るため、無線装置は、テキストのみのメッセージ交換に限定されることがある。
【０００５】
更に、無線装置は、有線装置によって通常経験されない状態の変化を経験し得る。これらの状態変化は、リアルタイム通信に参加する無線装置ユーザの能力又は利用可能性に影響を与え得る。例えば、エレベータ又は地下鉄システム内にある間、メッセージ受信が不可能であるため、有線装置から無線装置に送信されるリアルタイムメッセージが待機状態とされ得る。従って、無線装置ユーザは、有線装置ユーザから送信されるメッセージに即座に応答不能となることがある。その結果、有線装置ユーザは、何故無線装置ユーザがメッセージに応答しなかったかわからない。
【０００６】
従って、無線装置に関連した動作情報をリアルタイム通信サービスの他の加入者に提供する通信ネットワークと方法の必要が存在する。
【発明を実施するための最良の形態】
【０００７】
本発明は、無線装置に関連した動作情報を通信システム内のリアルタイム通信サービスの別の加入者に提供するための方法及び通信ネットワークを提供する。通信システムネットワークは、インスタントメッセージサービス、及びグループチャットなどのリアルタイム通信サービスを複数の加入者に提供する。より詳細には、第１装置を操作する第１加入者は、第２装置を操作する第２加入者とリアルタイム通信する。通信ネットワークは、無線装置であってもよい第１装置に関連した動作情報を受信する。動作情報は、これに限定されないが、第１装置に関連した状態情報、及びリソース情報であることがある。例えば、リソース情報は、第１装置の帯域幅、表示能力、入力能力、リンクタイプ、リンクコスト、装置の種類、リンク又は通信の待ち時間及び電力のうちの１つに関連した情報であり得る。従って、通信ネットワークは、動作情報を第２装置に送信する。通信ネットワークから動作情報の受信に応答して、第２装置は、アイコン、画像、テキストメッセージ、及び／又は音声メッセージ等の指標を生成することにより、第１装置に関連した動作情報を第２加入者に提供する。
【０００８】
本発明による通信システムは、幾つかの好適な実施形態に関して記載され、特に幾つかの通信標準の少なくとも１つにより作動する無線通信システムに関して記載される。これらの標準は、これに限定されないが、先進移動電話サービス（ＡＭＰＳ）、狭帯域先進移動電話サービス（ＮＡＭＰＳ）、移動通信システム（ＧＳＭ）、ＩＳ−５５  時間分割多重接続（ＴＤＭＡ）デジタル電話、ＩＳ−９５  符号分割多重接続（ＣＤＭＡ）デジタル電話、ＣＤＭＡ２０００、個人通信システム（ＰＣＳ）、３Ｇ、これらのプロトコルの変形や発展形などのアナログ、デジタル、又はデュアルモードシステムプロトコルからなる。図１で示すように、無線通信システム１００は、通信ネットワーク１１０、複数の基地局制御局（ＢＳＣ）１２０，１２２、利用するサービスエリア全体１３０を含む。無線通信システム１００は、これに限定されないが、通信システムに基づく周波数分割多重接続（ＦＤＭＡ）、通信システムに基づく時間分割多重接続（ＴＤＭＡ）、通信システムに基づく符号分割多重接続（ＣＤＭＡ）であることが可能である。このようなシステムで公知なように、各ＢＳＣ１２０，１２２は、サービスエリア全体１３０に亙って、そのＢＳＣに関連付けられている複数の基地局（ＢＳ）１４０，１４２，１４４及び利用する通信セル１５０，１５２，１５４，１５６を有する。ＢＳＣ１２０，１２２及びＢＳ１４０，１４２，１４４，１４６は、無線通信サービスを移動局（ＭＳ）１６０，１６２，１６４，１６６に提供し、通信セル１５０，１５２，１５４，１５６内で動作するための適用可能な標準及び標準群に関連して、特定され、作動し、これらの各要素がイリノイ州シャンバーグのモトローラ  インコーポレイテッドより商業的に入手可能である。
【０００９】
図２を参照すると、通信ネットワーク１１０は一般的に通信サーバ２２０とメモリ２３０を備える。通信ネットワーク１１０は、これに限定されないが、インタネットプロトコル（ＩＰ）ネットワークであり得る。通信サーバ２２０は、これに限定されないが、インスタントメッセージを提供するために動作可能なサーバ、グループチャットサーバを提供するために動作可能なサーバであり得る。より詳細には、通信サーバ２２０は、これに限定されないが、複数の加入者間のテキストのみのメッセージ交換を提供する。通信サーバ２２０は、リアルタイム通信サービス加入者に関連した情報を含む“仲間”リスト、又は交信リストの格納のために動作可能なメモリ２３０に動作可能に接続され、特定の加入者が、リストのこれらの加入者同士で交流することが可能になり得る。さらに、メモリはプログラム又は動作命令のセットを格納する。さらに、サーバ２２０は、プログラム、又は動作命令のセットを実行することにより、通信ネットワーク１１０は本発明の好適な実施形態によって動作する。プログラム又は作動命令のセットは、これに限定されないが、紙、プログラム可能なゲートアレー、特定用途向け集積回路、消去可能プログラマブル読み出し専用メモリ、読み出し専用メモリ、ランダム  アクセス  メモリ、磁気媒体、光学媒体などの、コンピュータ読取可能な媒体に組込まれ得る。さらに、通信ネットワーク１１０は、第１装置と第２装置とを通信するために接続される。第１装置は、これに限定されないが、携帯電話（移動局１６０，移動局１６２など）、ページャ、電子プランナなど、無線電子装置であり得る。第２装置は、移動局１６２などの無線電子装置、又はこれに限定されないが、デスクトップコンピュータ、ラップトップコンピュータ等の有線装置１６２のどちらでもあり得る。
【００１０】
図２で示される本発明の好適な実施形態により適用され得る無線装置に関連した動作情報を提供する基本フローは、第１装置及び第２装置がインスタントメッセージ及びグループチャットなどのリアルタイム通信に参加することから開始し得る。より詳細には、通信ネットワーク１１０は，インスタントメッセージサービスを、移動局１６０（すなわち第１装置）と有線装置２４０（すなわち第２装置）に提供する。通信サーバ２２０は、これに限定されないが、登録、加入者の入力、及び状態変化等のトリガーイベントに応答した基地局１６０に関連した動作情報を受信する。動作情報は、これに限定されないが、移動局１６０に関連したリソース情報及び状態情報であり得る。例えば、通信サーバ２２０は、リアルタイム通信サービスに移動局１６０の登録に応答して、移動局１６０に関連した動作情報を受信し得る。登録は、移動局１６０に関するリソース情報を含み得る。さらに、通信サーバ２２０は、加入者の入力（加入者が移動局１６０を作動することによってキーを押すなど）、又は移動局１６０の状態の変化（移動局１６０の位置、作動環境、作動モードなど）に応答して移動局１６０に関連した状態情報を受信し得る。
【００１１】
リソース情報は、これに限定されないが、移動局１６０に関連した帯域幅、表示能力、入力能力、リンクタイプ、リンクコスト、装置の種類、待ち時間、及び／又は電力の情報であり得る。より詳細には、帯域幅は、これに限定されないが、移動局１６０の通信ネットワーク１１０に対する低速接続、中速接続、高速接続を備える。表示能力は、これに限定されないが、移動局１６０の表示のスクリーンの大きさ及びフォーマット（テキストのみ、カラー、モノクロ、画像など）のことを言う。入力能力は、これに限定されないが、数字キーボード、英数字キーボード、タッチセンシティブ  ディスプレイを介する入力からなる。リンクタイプは、これに限定されないが、パケットデータネットワーク及び回路切替ネットワーク（公衆交換電話網（ＰＳＴＮ）など）からなる。リンクコストは、移動局のパケットデータネットワークへのリンク等の、リンクに対する秒当りのコスト又は、文字当りのコストのことを言う。装置の種類には、これらに限定されないが、携帯電話、ページャ、電子プランナが含まれる。例えば、通信サーバ２２０は、移動局１６０が携帯電話であることを示す動作情報を受信し得る。待ち時間は、図１に示すように、無線通信システム１００の固有の性質のため（すなわち、待機遅延、送信時間、ネットワークの混雑状態）、移動局１６０がメッセージを送信及び受信するための遅れのことを言う。
【００１２】
状態情報は、これに限定されないが、基地局１６０の位置及び動作モードに関連した情報であり得る。例えば、通信サーバ２２０は、インスタントメッセージサービスが提供されるサービスエリアの範囲外に移動局があることを示す情報を受信し得る。さらに、通信サーバ２２０は、移動局１６０が、家、オフィス、空港等にあることを示す位置に関連した情報を受信し得る。動作モードには、これらに限定されないが、活動、休止、プライベート、音声呼モードが含まれる。例えば、移動局１６０は、移動局１６０のユーザがリアルタイム通信に受動参加を単に望む場合（すなわち、メッセージの交換に参加することなく）の、会議中にプライベートモードであり得る。
【００１３】
移動局１６０からの動作情報の受信に応答して、通信サーバ２２０は、動作情報をデスクトップコンピュータなどの有線装置２４０に送信する。有線装置２４０は、これに限定されないが、動作情報に基づく、アイコン、画像、テキストメッセージ、及び／又は音声メッセージなどの指標を生成することが可能である。これは以下に詳細に記載する。例えば、有線装置２４０は、移動局１６０が携帯電話であることを示す携帯電話のアイコンを生成し得る。別の例では、有線装置２４０は、移動局１６０が休止、すなわち移動局１６０が切断されることを示すテキストメッセージを生成し得る。
【００１４】
別の実施形態において、通信ネットワーク１１０は、リアルタイム通信サービスを少なくとも２つの無線装置に提供し得る。例えば、通信ネットワーク１１０は、インスタントメッセージサービスを、移動局１６０及び移動局１６２に提供し得る。従って、通信サーバ２２０は、動作情報を移動局１６０から受信し、動作情報を移動局１６２に送信する。さらに、通信サーバ２２０は、動作情報を、メモリ２３０内に格納される“仲間”リストに含まれるインスタントメッセージサービスの他の加入者によって使用される装置に提供するために適合され得る。例えば、“仲間”リストには加入者の友人が含まれていることがある。
【００１５】
他の別実施形態において，通信ネットワーク１１０は、グループチャットサービスを移動局１６０、移動局１６２、有線装置２４０に提供し得る。その結果、通信サーバ２２０は、動作情報を移動局１６０から受信し、動作情報を移動局１６２、有線装置２４０に送信する。通信サーバ２２０は、動作情報を、メモリ２３０内に格納される“仲間”リストに含まれるインスタントメッセージサービスの他の加入者によって使用される装置に提供するために適合され得る。例えば、“仲間”リストは加入者の同僚からなり得る。
【００１６】
図３に示すように、無線装置とのリアルタイム通信に参加する装置の表示装置３１０（図２で示される移動局１６２と有線装置２４０等、）が、無線装置の動作情報（図２に示される移動局１６０等）を、リアルタイム通信サービスの別の加入者に提供する本発明の好適な実施形態に関連して適合される。より詳細には、第１加入者（加入者番号１（Ｓｕｂｓｃｒｉｂｅｒ＃１））及び第２加入者（加入者番号２（Ｓｕｂｓｃｒｉｂｅｒ＃２））が、第１装置及び第２装置をそれぞれ作動することによって、第１装置及び第２装置は、相互にリアルタイム通信をする。第１装置に関連したリソース情報及び状態情報等の動作情報が、第２装置に提供される。動作情報の受信に応答して、第２装置の表示装置３１０は、これに限定されないが、動作情報に基づくアイコン、画像、テキストメッセージ、音声メッセージなどの指標を生成する。例えば、第１加入者によって作動される無線装置（すなわち第１装置）の種類を示すために、携帯電話のアイコン３１２が表示装置３１０上に生成される。さらに、ページャのアイコン３１４及び電子プランナのアイコン３１６は、無線装置がそれぞれページャ及び電子プランナであることを示す。別の実施例において、動作情報は、無線装置のリンクに対する種類に関連した情報を提供する。より詳細には、細い双方向矢印線３２２が第１装置と第２装置間の低速無線リンク（ページングを経由するリンクなど）を示し、中間サイズの双方向矢印３２４がより早い無線リンクを示し、太い双方向矢印３２６が第１装置の利用可能な最速無線リンク（ケーブルモデムリンク）を示している。動作情報は、無線装置１６０のリンクコスト（文字当りのコスト、秒当りのコストなど）に関して情報を提供し得る。例えば、４つの“＄”のアイコン３２２は、第１装置がリアルタイム通信のために接続されるためのコストが非常に高いことを示す一方、１つの“＄”はコストが低いことを示し得る。さらに、第１装置の電力は、バッテリのアイコン３４２及びプラグのアイコン３４４により示され得る。例えば、バッテリ３４２のアイコンは、第１装置が使用するバッテリ及びバッテリ内の残りの電力量を示し得る一方、プラグ３４４のアイコンが第１装置の充電（すなわち充電中）又は電力源がＡＣ電源であることを示す。
【００１７】
上記のように、動作情報が第１装置に関する状態情報であり得る。より詳細には、状態情報は、これに限定されないが、第１装置の位置及び作動モードであり得る。例えば、第１装置の位置は、表示装置３１０上に生成される、“加入者番号１が家である（Ｓｕｂｓｃｒｉｖｅｒ＃１  ｉｓ  ｈｏｍｅ）”などのテキストメッセージ３５２によって示され得る。第１装置の他の位置は、これに限定されないが、オフィス、空港等であり得る。更に、図２に示される通信ネットワーク１１０は、リアルタイム通信が利用不可能であり得るキャリアネットワーク又はアナログネットワークのサービスエリアに、第１装置が移動していることを示す第１装置に関連した動作情報を提供し得る。第１装置が配置される場所のリアルタイム通信が不可能なため、更に、通信ネット１１０は、第１装置がリアルタイム通信のために利用可能になるまで、メッセージが待機されることを示す第１装置に関連した動作情報を提供し得る。別の実施例において、「加入者番号１の携帯電話が切断される」等のテキストメッセージ３５４が、第１装置が休止である（すなわち、第１装置の作動モード）ことを示すために表示装置３１０に生成され得る。他の作動モード、これに限定されないが、活動、休止、プライベート、音声呼モードであり得る。詳細には、第１装置は、プライベートモード中に加入者に報知しない。プライベートモードは、加入者が受動参加者であり、リアルタイム通信に積極的に参加することなくメッセージ交換を簡単にみることを可能にする。テキストメッセージが、他の加入者に提供され得るため、他の加入者は、リアルタイム通信に参加することをために加入者が第１装置を作動することを期待しない。音声呼モードにおいて、テキストメッセージは第１装置が音声呼であること、加入者がリアルタイム通信のために利用不可能であることを示すために生成され得る。
【００１８】
本発明の好適な実施形態により図４を参照すると、無線装置とリアルタイム通信に参加する装置に、無線装置に関連した動作情報を提供するための方法４００が示される。方法４００は、通信ネットワークがリアルタイム通信サービスを第１加入者によって作動される第１装置、及び第２加入者によって作動される第２装置に提供するステップ４１０において開始する。詳細には、リアルタイム通信サービスは、これに限定されないが、インスタントメッセージサービス及びグループチャットサービスであり得る。第１装置は、これに限定されないが、携帯電話、ページャ、及び電子プランナなどの無線装置であり得る。第２装置は、無線装置、又はデスクトップなどの有線装置のどちらでもあり得る。ステップ４２０において、通信ネットワークは、第１装置に関連した動作情報を受信する。動作情報は、これに限定されないが、第１装置に関連したリソース情報及び状態情報であり得る。詳細には、動作情報は、第１装置に関する帯域幅、表示能力、入力能力、リンクタイプ、リンクコスト、装置の種類、待ち時間、電力、位置作動モードを含み得る。例えば、第１装置の入力能力は、これに限定されないが、数字キーボード、英数字キーボード、タッチセンシティブ  ディスプレイであり得る。ステップ４３０において、通信ネットワークは、動作情報を第２装置に送信する。動作情報の受信に応答して、第２装置は、これに限定されないが、動作情報に基づくアイコン、画像、テキストメッセージ、音声メッセージ等の指標を生成し得る。例えば、第２装置は、第１加入者が第２加入者とのリアルタイム通信に参加するためにページャを使用することを示すページャのアイコンを生成し得る。その結果、第２加入者は、第１加入者に、詳細なメッセージではなくて簡潔なメッセージを提供することによって、動作情報（すなわち第１加入者がページャを使用する）に基づいて処理し得る。
【００１９】
多くの変更と変形が本発明の範囲と精神から離れることなく行われ得る。一部の変更の範囲は、上記に示した。他の範囲は添付した請求項によって明らかである。
【図面の簡単な説明】
【００２０】
【図１】本発明の好適な実施形態による動作に適合可能な無線通信システムを示すブロックダイヤグラム。
【図２】本発明の好適な実施形態による動作に適合可能な通信ネットワークを示すブロックダイヤグラム。
【図３】本発明の好適な実施形態により生成され得る動作情報の映像表示。
【図４】本発明の好適な実施形態による無線装置に関連した動作情報を提供するための方法を示すフローダイヤグラム。
【図１】
2005508126.tif 000003
【図２】
2005508126.tif 000004
【図４】
2005508126.tif 000005
【国際公開パンフレット】
2005508126.tif 000006
2005508126.tif 000007
2005508126.tif 000008
2005508126.tif 000009
2005508126.tif 000010
2005508126.tif 000011
2005508126.tif 000012
2005508126.tif 000013
2005508126.tif 000014
2005508126.tif 000015
2005508126.tif 000016
2005508126.tif 000017
2005508126.tif 000018
2005508126.tif 000019
2005508126.tif 000020
2005508126.tif 000021
2005508126.tif 000022
2005508126.tif 000023
2005508126.tif 000024
2005508126.tif 000025
2005508126.tif 000026
2005508126.tif 000027
2005508126.tif 000028
2005508126.tif 000029
2005508126.tif 000030
【手続補正書】
【提出日】平成15年6月26日(2003.6.26)
【手続補正１】
【補正対象書類名】特許請求の範囲
【補正対象項目名】全文
【補正方法】変更
【補正の内容】
【特許請求の範囲】
【請求項１】
複数の加入者にリアルタイムの通信サービスを提供する通信システム内において、第１加入者は、第２加入者と通信し、前記第２加入者に、無線装置に関連した動作情報を提供する方法であって、
リアルタイム通信サービスを無線装置である前記第１装置と第２装置とに提供する工程と、
前記第１装置に関するリソース情報を含む、前記第１装置に関連した動作情報を受信する工程と、
前記動作情報を前記第２装置に送信する工程とを備える方法。
【請求項２】
前記第１装置及び第２装置にリアルタイム通信サービスを提供する工程は、インスタントメッセージサービス、及びグループチャットサービスのうちの１つを提供する工程を備える請求項１に記載の方法。
【請求項３】
前記第１装置に関連した動作情報を受信する工程は、トリガーイベントに応答して、前記第１装置に関連した動作情報を受信する工程を備え、前記トリガーイベントは、登録、加入者の入力、及び状態の変化のうちの１つを含む請求項１に記載の方法。
【請求項４】
前記第１装置に関連した動作情報を受信する工程は、前記第１装置に関するリソース情報と共に状態情報を受信する工程を備える請求項１に記載の方法。
【請求項５】
前記第１装置に関連した動作情報を受信する工程は、前記第１装置の帯域幅、表示能力、入力能力、リンクタイプ、リンクコスト、装置の種類、待ち時間、及び電力の少なくとも１つに関連したリソース情報を受信する工程を備える請求項１に記載の方法。
【請求項６】
前記第１装置に関連した動作情報を受信する工程は、携帯電話、ページャ、電子プランナのうちの１つに関連したリソース情報を受信する工程を備える請求項１に記載の方法。
【請求項７】
前記動作情報を前記第２装置に送信する工程は、前記動作情報に基づいてアイコン、画像、テキストメッセージ、音声メッセージのうちの１つを生成すべく作動可能な装置に前記動作情報を送信する工程を備える請求項１に記載の方法。
【請求項８】
前記動作情報を前記第２装置に送信する工程は、前記動作情報を、無線電子装置及び有線電子装置のうちの１つに送信する工程を備える請求項１に記載の方法。
【請求項９】
リアルタイム通信サービスを複数の加入者に提供する通信システム内において、第１加入者は第２加入者と通信し、無線装置に関連した動作情報を前記第２加入者に提供するために適合された通信ネットワークであって、
メモリと、
前記メモリと接続される通信サーバである前記リアルタイム通信サーバは、無線装置である第１装置と、第２装置とにリアルタイム通信サービスを提供するために動作可能であることと、
前記通信サーバが前記第１装置に関連した動作情報を受信するために動作可能であり、前記動作情報が前記第１装置に関連したリソース情報を含むことと、
前記通信サーバが前記動作情報を前記第２装置に送信するために動作可能であることとからなる通信ネットワーク。
【請求項１０】
リアルタイム通信サービスを複数の加入者に提供する通信システム内において、第１加入者は第２加入者と通信し、無線装置に関連した動作情報を前記第２加入者に提供するための方法であって、
無線装置である第１装置をリアルタイム通信サービスに参加する工程と、
前記第１装置に関連したリソース情報を含む動作情報である、前記第１装置に関連した動作情報を受信する工程と、
前記第１装置に関連した前記動作情報に基づいて指標を生成する工程とからなる方法。
【請求項１１】
リアルタイム通信サービスを複数の加入者に提供する通信システム内において、第１加入者は第２加入者と通信し、無線装置に関連した動作情報を、前記第２加入者に提供するためにコンピュータ読取可能媒体に組込まれ、サーバが関連して動作するコンピュータプログラムであって、
サーバに、リアルタイム通信サービスを無線装置である前記第１装置と、前記第２装置と提供するように指示する第１ルーチンと
前記サーバに、前記第１装置に関連したリソース情報を含む前記動作情報である、前記第１装置に関連した動作情報を受信するように指示する第３ルーチンと、
前記サーバに、前記動作情報を、前記第２装置に送信するように指示する第３ルーチンとからなるコンピュータプログラム。
【国際調査報告】
2005508126.tif 000031
2005508126.tif 000032